(57)【特許請求の範囲】
【請求項１】
物体側より順に正の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４、負の屈折力を有する第５レンズ群Ｇ５、正の屈折力を有する第６レンズ群Ｇ６、負の屈折力を有する第７レンズ群Ｇ７を有し、広角から望遠への変倍に際して第１レンズ群Ｇ１、第２レンズ群Ｇ２、第４レンズ群Ｇ４、第５レンズ群Ｇ５、第６レンズ群Ｇ６、第７レンズ群Ｇ７を物体側へ動かし、第７レンズ群Ｇ７を光軸方向へ移動させてフォーカシングを行い、第３レンズ群Ｇ３は物体側より順に、前部Ｇ３Ａと後部Ｇ３Ｂよりなり、第３レンズ群後部Ｇ３Ｂを光軸に対して垂直成分を含む方向に移動させて画像ブレを補正し、以下の条件を満足する事を特徴とする防振機能を有したリアフォーカス方式のズームレンズ。
（１）０．２５＜｜β３ＢＴ／β３ＡＴ｜＜０．５５
但し、β３ＡＴ：無限遠物体での第３レンズ群前部Ｇ３Ａの望遠端での横倍率
β３ＢＴ：無限遠物体での第３レンズ群後部Ｇ３Ｂの望遠端での横倍率
【請求項２】
防振機能を有したリアフォーカス方式のズームレンズの第１レンズ群、第２レンズ群及び第３レンズ群が以下の条件を同時に満足することを特徴とする請求項１記載の防振機能を有したリアフォーカス方式のズームレンズ。
（２）0.3＜f12T／fT＜0.7
（３）0.8＜|β3T|＜1.7
但し、f12T：第１レンズ群と第２レンズ群の望遠端での合成焦点距離
fT：望遠端での全系焦点距離
β3T：無限遠物体での第３レンズ群の望遠端での横倍率
【請求項３】
画像のブレを補正するために、光軸に対して垂直成分を含む方向に移動させるレンズ群において、最も物体側に位置する面の曲率半径をRsとし、望遠端の全系焦点距離をfTとすると、以下の条件を満足することを特徴とする請求項１記載の防振機能を有したリアフォーカス方式のズームレンズ。
（４）|fT／Rs|＜5.0
【請求項４】
前記防振機能を有したリアフォーカス方式のズームレンズでフォーカシングを行う第７レンズ群が以下の条件を満足することを特徴とする請求項１記載の防振機能を有したリアフォーカス方式のズームレンズ。
（５）0.08＜|f7／fT|＜0.25
但し、f7：第７レンズ群の焦点距離
fT：望遠端でのレンズ全系焦点距離
【発明の詳細な説明】
【０００１】
【発明の属する技術分野】
本発明は、スチルカメラ、電子スチルカメラやビデオカメラ等に用いられる画像ブレを補正する防振機構を有したリアフォーカス方式のズームレンズに関する。
【０００２】
【従来の技術】
従来より、防振機能を有したズームレンズとして、特開平１１−２５８５０４号公報が知られているが、フォーカシングにレンズ径が大きく重い第１レンズ群を用いており、迅速なフォーカシングには適していなかった。
【０００３】
一方、特開２０００−４７１０７号公報は、防振機能を有したズームレンズでリアフォーカス方式を用いることで、迅速なフォーカシングが可能とし、さらに第２レンズ群で像のブレを補正するとしている。
【０００４】
【発明が解決しようとする課題】
本発明は、防振機能を有し、迅速なフォーカシングが可能で、さらには、像のブレを補正するレンズ群が軽量化で、かつ光学性能が良好で小型軽量なズームレンズを提供することを目的とする。
【０００５】
本発明は、物体側より順に正の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４、負の屈折力を有する第５レンズ群Ｇ５、正の屈折力を有する第６レンズ群Ｇ６、負の屈折力を有する第７レンズ群Ｇ７を有し、広角から望遠への変倍に際して第１レンズ群、第２レンズ群、第４レンズ群、第５レンズ群、第６レンズ群、第７レンズ群を物体側へ動かし、第７レンズ群を光軸方向へ移動させてフォーカシングを行い、第３レンズ群は物体側より順に、前部Ｇ３Ａと後部Ｇ３Ｂよりなり、第３レンズ群後部を光軸に対して垂直成分を含む方向に移動させて画像ブレを補正し、以下の条件を満足する事を特徴とする防振機構を有したリアフォーカス方式のズームレンズで条件式（１）を満足することで上記課題を解決した。
（１）０．２５＜｜β３ＢＴ／β３ＡＴ｜＜０．５５
但し、β３ＡＴ：無限遠物体での第３レンズ群前部Ｇ３Ａの望遠端での横倍率
β３ＢＴ：無限遠物体での第３レンズ群後部Ｇ３Ｂの望遠端での横倍率
【０００６】
条件式（１）は、第３レンズ群の前部Ｇ３Ａと後部Ｇ３Ｂの無限遠物体の望遠端での横倍率に適切な比率を与える条件式である。条件式（１）の上限を越えると、第３レンズ群後部Ｇ３Ｂの変倍時の倍率負担が大きくなり、ブレ補正時の非点収差を良好に保つことが困難となり、また、像のブレを補正するレンズ群Ｇ３Ｂの大型化を招く。一方、下限値を越えると、第３レンズ群後部Ｇ３Ｂの横倍率が小さくなり、ブレ補正効果を十分に得られなくなる。
【０００７】
また、請求項１記載の防振機能を有したリアフォーカス方式のズームレンズにおいて、以下の条件を満足することが望ましい。
（２）0.3＜f12T／fT＜0.7
（３）0.8＜|β3T|＜1.7
但し、f12T：第１レンズ群と第２レンズ群の望遠端での合成焦点距離
fT：望遠端での全系焦点距離
β3T：無限遠物体での第３レンズ群の望遠端での横倍率
【０００８】
条件式（２）は、第１レンズ群と第２レンズ群の望遠端での合成焦点距離と望遠端でのレンズ全系の焦点距離の比率を与える条件式である。条件式（２）の上限を越えると、広角端から望遠端への変倍時に、第１レンズ群と第２レンズ群の繰り出し量が大きくなり、レンズ構造が複雑あるいは大きくなるためレンズの小型軽量が困難となる。下限値を越えると、第１レンズ群と第２レンズ群で発生する球面収差が大きくなり、補正が困難となる。
【０００９】
条件式（３）は、無限遠物体での第３レンズ群の望遠端での横倍率を制限する条件である。条件式（３）の上限を越えると非点収差がアンダーとなり、良好な光学性能を得ることが困難となる。下限値を越えると、今度は非点収差がオーバーとなり、良好な光学性能を得ることが困難となる。
【００１０】
さらには、請求項１記載の防振機能を有したリアフォーカス方式のズームレンズにおいて、以下の条件を満足することが望ましい。
（４）|fT／Rs|＜5.0
但し、fT：望遠端での全系焦点距離
Rs：像ブレを補正するレンズ群の最も物体側に位置する面の曲率半径
【００１１】
条件式（４）は、画像ブレを補正するレンズ群において、最も物体側の面の曲率半径を規定するものである。条件式（４）の上限値を越えると、画像ブレを補正するレンズ群の最も物体側の面の曲率半径が小さくなり、ブレ補正のために光軸に対して垂直成分を含む方向に移動した補正レンズ群に入射する光線の入射角が、補正のために移動した補正レンズ群の移動量に応じて大きく変化するため、ブレ補正時の光学性能を良好に維持することが困難となる。
【００１２】
またさらには、請求項１記載の防振機能を有したリアフォーカス方式のズームレンズにおいて、以下の条件を満足することが望ましい。
（５）0.08＜|f7／fT|＜0.25
但し、f7：第７レンズ群の焦点距離
fT：望遠端でのレンズ全系焦点距離
【００１３】
条件式（５）は、第７レンズ群の焦点距離と望遠端におけるレンズ全系の焦点距離の比率を与える条件式である。条件式（５）の上限を越えると、第７レンズ群の屈折力が弱くなり、特に望遠側でのフォーカシングの際に、最短撮影距離時における第７レンズ群の繰り出し量が大きくなり、迅速なフォーカシングが困難となる。下限値を越えると、バックフォーカスが短くなりすぎる。
【００１４】
【実施例】
以下に、本発明のズームレンズの数値実施例１、数値実施例２及び数値実施例３を示す。ここで［全体諸元］中、fは焦点距離、Ｂｆはバックフォーカス、FｎｏはFナンバー、２ωは画角を示す。［レンズ諸元］中、番号は物体側から順にレンズの面番号、ｒはレンズ面の曲率半径、ｄはレンズ面間隔、ｎはｄ線の屈折率、νはアッベ数を示す。また、[防振時の諸量]中、防振レンズ群の移動量と像の移動量は、レンズ構成図上方を正としている。
【００１５】
数値実施例１
［全体諸元］
f＝81.24〜389.46mm
Fno＝4.46〜5.83
２ω＝29.8°〜6.2°
【００１６】
［レンズ諸元］
番号   ｒ[mm]      ｄ[mm]      ｎ         ν
1     262.7322     3.0000     1.80610    33.3
2     128.7960     1.2266
3     125.2621     8.8779     1.49700    81.6
4    -653.8541     d4
5     102.6747     6.4368     1.49700    81.6
6     320.7889     d6
7      39.4448     4.7729     1.72342    38.0
8     153.0358     1.4000     1.77250    49.6
9      31.6911     6.0012
10     129.2163     1.0000     1.69680    55.5
11      30.2556     2.9000     1.80518    25.5
12      44.6853     4.7228
13     -52.3323     1.0000     1.48749    70.4
14    1514.6027     d14
15      61.0652     4.8692     1.49700    81.6
16    -110.3645     0.1500
17      39.8247     9.5000     1.48749    70.4
18     -91.5126     1.2000     1.80518    25.5
19     304.2100     d19
20      絞り        3.2280
21     -44.6004     3.0631     1.80610    33.3
22     -21.1309     1.0000     1.62299    58.1
23      91.0865     d23
24     199.9793     2.7072     1.51680    64.2
25     -64.8289     0.1500
26      76.4028     5.4877     1.48749    70.4
27     -25.1310     1.0000     1.83400    37.3
28    -118.2484     0.1500
29      81.7936     2.2443     1.77250    49.6
30    -420.9332     d30
31     693.3088     1.1834     1.75500    52.3
32      31.3556     1.2868
33      31.4903     4.5774     1.64769    33.8
34    -175.1920     1.0000     1.77250    49.6
35      67.5143
【００１７】
[無限遠撮影時の変倍における可変間隔]
ｆ        81.24      180.52     389.46
ｄ4      1.3782     11.6019    17.3730
ｄ6      2.0675     49.7449    91.7874
ｄ14    51.1803     25.6674    10.7351
ｄ19    19.3339     23.4097    27.3230
ｄ23    10.7260      6.9444     3.5447
ｄ30     9.6020     13.4965     0.9942
Bf      54.14       65.99      89.18
【００１８】
[有限距離撮影時の変倍における可変間隔]
ｆ        81.24      180.52     389.46
撮影距離 3000.0      3000.0     3000.0
ｄ4      1.3782     11.6019    17.3730
ｄ6      2.0675     49.7449    91.7874
ｄ14    51.1803     25.6674    10.7351
ｄ19    19.3339     23.4097    27.3230
ｄ23    10.7260      6.9444     3.5447
ｄ30    10.6216     17.4055    13.3101
Bf      53.12       62.08      76.86
【００１９】
[防振時の諸量]
ｆ                         81.24   180.52    389.46
防振レンズ群の移動量[mm]    0.5      0.5       0.5
像の移動量[mm]             -0.65    -1.04     -1.50
【００２０】
［条件値］
（1）|β3BT／β3AT|=0.44
（2）f12T／fT=0.54
（3）|β3T|=1.04
（4）|fT／Rs|=3.01
（5）|f7／fT|=0.18
【００２１】
数値実施例２
［全体諸元］
f＝80.25〜387.14mm
Fno＝4.60〜6.05
2ω＝30.6°〜6.2°
【００２２】
［レンズ諸元］
番号   ｒ[mm]      ｄ[mm]      ｎ         ν
1     205.4702     3.0000     1.80610    33.3
2     101.5248     0.1645
3     102.5306     8.9646     1.49700    81.6
4   -1510.7385     d4
5      91.0134     8.5076     1.49700    81.6
6    3332.6125     d6
7      50.9509     6.1302     1.58144    40.9
8    -181.2031     0.8544     1.77250    49.6
9      43.0391     6.3841
10    -215.5728     1.0000     1.69680    55.5
11      34.1272     3.5479     1.80518    25.5
12      68.2469     2.9127
13     -81.9758     1.0000     1.48749    70.4
14     235.8489     d14
15      72.9516      5.0885    1.49700    81.6
16     -80.9622      0.1500
17      49.4954      6.3297    1.48749    70.4
18     -61.1316      5.0944    1.62004    36.3
19    2072.0789      d19
20      絞り         3.0672
21     -41.5214      5.5763    1.51742    52.2
22     -17.0738      1.0871    1.48749    70.4
23      79.8796      d23
24     224.3373      5.3774    1.49700    81.6
25     -21.8713      1.1953    1.69895    30.0
26     -41.8396      0.1508
27      77.0844      2.4939    1.69680    55.5
28    -216.0818      d28
29    -854.6928      1.0000    1.80420    46.5
30      31.4286      6.6222    1.62004    36.3
31     -35.9727      0.3205
32     -37.0869      1.0000    1.71300    53.9
33     165.1518
【００２３】
[無限遠撮影時の変倍における可変間隔]
ｆ        80.25      181.37    387.14
ｄ4      0.7000      6.5218   16.6127
ｄ6      1.5471     41.3230   66.4107
ｄ14    33.4025     15.2667    5.0000
ｄ19    16.9086     22.4310   26.9930
ｄ23    17.6824      9.4588    2.9462
ｄ28    20.3692     21.7238    2.7498
Bf      51.56       60.90     96.45
【００２４】
[有限距離撮影時の変倍における可変間隔]
ｆ        80.25      181.37     387.14
撮影距離 8000.0      8000.0     8000.0
ｄ4      0.7000      6.5218    16.6127
ｄ6      1.5471     41.3230    66.4107
ｄ14    33.4025     15.2667     5.0000
ｄ19    16.9086     22.4310    26.9930
ｄ23    17.6824      9.4588     2.9462
ｄ28    20.7956     23.4974     7.2092
Bf      51.14       59.13      91.99
【００２５】
[防振時の諸量]
ｆ                         80.25    181.37    387.14
防振レンズ群の移動量[mm]    0.5       0.5       0.5
像の移動量[mm]             -0.70     -1.09     -1.66
【００２６】
［条件値］
（1）|β3BT／β3AT|=0.37
（2）f12T／fT=0.41
（3）|β3T|=1.23
（4）|fT／Rs|=1.80
（5）|f7／fT|=0.20
【００２７】
数値実施例３
［全体諸元］
f＝79.82〜388.44mm
Fno＝4.50〜5.85
2ω＝30.6°〜6.2°
【００２８】
［レンズ諸元］
番号   ｒ[mm]      ｄ[mm]      ｎ         ν
1     229.4909     3.0000     1.80610    33.3
2     114.9168     1.1064
3     109.3877     9.2061     1.49700    81.6
4    -578.5930     d4
5      89.7169     6.7617     1.49700    81.6
6     288.4433     d6
7      54.3495     4.8334     1.60342    38.0
8    -791.2984     1.4000     1.77250    49.6
9      42.6870     4.7524
10     231.9747     1.2000     1.69680    55.5
11      29.1852     3.2451     1.80518    25.5
12      47.1790     4.7931
13     -46.5161     1.0000     1.48749    70.4
14    -146.1779     d14
15      62.5266     5.3056     1.49700    81.6
16     -92.9859     0.1500
17      45.0305     6.7406     1.48749    70.4
18     -62.0986     1.2000     1.80610    33.3
19     548.3507     d19
20     絞り         2.9441
21     -59.1071     2.9606     1.68893    31.2
22     -23.4543     1.6597     1.51680    64.2
23      50.5502     d23
24     100.3794     5.5470     1.48749    70.4
25     -23.0624     1.0000     1.80518    25.5
26     -45.7764     0.1500
27      61.7476     2.5350     1.80420    46.5
28    -932.6506     d28
29    -137.8795     1.2008     1.75500    52.3
30      31.2118     5.3578     1.62004    36.3
31     -64.2225     0.1500
32    -102.0609     1.0000     1.75500    52.3
33      93.1433
【００２９】
[無限遠撮影時の変倍における可変間隔]
ｆ        79.82      179.74     388.44
ｄ4      1.2665     12.6311    18.5980
ｄ6      2.0455     34.2485    78.5141
ｄ14    42.7801     14.7931     9.8897
ｄ19    22.5708     28.5408    27.6075
ｄ23    14.1563      8.0909     6.2318
ｄ28    18.0595     26.2790     4.6341
Bf      51.28       64.18      93.48
【００３０】
[有限距離撮影時の変倍における可変間隔]
ｆ        79.82      179.74       388.44
撮影距離  5000.0      5000.0       5000.0
ｄ4        1.2665     12.6311      18.5980
ｄ6        2.0455     34.2485      78.5141
ｄ14      42.7801     14.7931       9.8897
ｄ19      22.5708     28.5408      27.6075
ｄ23      14.1563      8.0909       6.2318
ｄ28      18.5993     28.3394      10.3367
Bf        50.74       62.12        87.77
【００３１】
[防振時の諸量]
ｆ                         79.82   179.74    388.44
防振レンズ群の移動量[mm]    0.5      0.5       0.5
像の移動量[mm]             -0.61    -1.06     -1.39
【００３２】
［条件値］
（1）|β3BT／β3AT|=0.36
（2）f12T／fT=0.46
（3）|β3T|=1.33
（4）|fT／Rs|=1.67
（5）|f7／fT|=0.16
【００３３】
【発明の効果】
以上の数値実施例１乃至数値実施例３が示すように、本発明は、ズームレンズの一部を構成する小型軽量のレンズ群を、光軸に対して垂直成分を含む方向に移動させて画像のブレを補正することができ、比較的に小型軽量のレンズ群をフォーカシングに利用するリアフォーカス方式を用いることによって、迅速なフォーカシングが可能で、小型軽量の光学性能が良好な防振機能を有したリアフォーカス方式のズームレンズを提供できる。
【図面の簡単な説明】
【図１】数値実施例１のレンズ断面図である。
【図２】数値実施例１の無限遠撮影時の広角端の諸収差である。
【図３】数値実施例１の無限遠撮影時の中間焦点距離の諸収差図である。
【図４】数値実施例１の無限遠撮影時の望遠端の諸収差図である。
【図５】数値実施例１の撮影距離3000ｍｍ時の広角端の諸収差図である。
【図６】数値実施例１の撮影距離3000ｍｍ時の中間焦点距離の諸収差図である。
【図７】数値実施例１の撮影距離3000ｍｍ時の望遠端の諸収差図である。
【図８】数値実施例１の防振時の無限遠撮影時の広角端の横収差である。
【図９】数値実施例１の防振時の無限遠撮影時の中間焦点距離の横収差図である。
【図１０】数値実施例１の防振時の無限遠撮影時の望遠端の横収差図である。
【図１１】数値実施例２のレンズ断面図である。
【図１２】数値実施例２の無限遠撮影時の広角端の諸収差である。
【図１３】数値実施例２の無限遠撮影時の中間焦点距離の諸収差図である。
【図１４】数値実施例２の無限遠撮影時の望遠端の諸収差図である。
【図１５】数値実施例２の撮影距離8000ｍｍ時の広角端の諸収差図である。
【図１６】数値実施例２の撮影距離8000ｍｍ時の中間焦点距離の諸収差図である。
【図１７】数値実施例２の撮影距離8000ｍｍ時の望遠端の諸収差図である。
【図１８】数値実施例２の防振時の無限遠撮影時の広角端の横収差である。
【図１９】数値実施例２の防振時の無限遠撮影時の中間焦点距離の横収差図である。
【図２０】数値実施例２の防振時の無限遠撮影時の望遠端の横収差図である。
【図２１】数値実施例３のレンズ断面図である。
【図２２】数値実施例３の無限遠撮影時の広角端の諸収差である。
【図２３】数値実施例３の無限遠撮影時の中間焦点距離の諸収差図である。
【図２４】数値実施例３の無限遠撮影時の望遠端の諸収差図である。
【図２５】数値実施例３の撮影距離5000ｍｍ時の広角端の諸収差図である。
【図２６】数値実施例３の撮影距離5000ｍｍ時の中間焦点距離の諸収差図である。
【図２７】数値実施例３の撮影距離5000ｍｍ時の望遠端の諸収差図である。
【図２８】数値実施例３の防振時の無限遠撮影時の広角端の横収差である。
【図２９】数値実施例３の防振時の無限遠撮影時の中間焦点距離の横収差図である。
【図３０】数値実施例３の防振時の無限遠撮影時の望遠端の横収差図である。
【符号の説明】
Ｇ１  第１レンズ群
Ｇ２  第２レンズ群
Ｇ３  第３レンズ群
Ｇ４  第４レンズ群
Ｇ５  第５レンズ群
Ｇ６  第６レンズ群
Ｇ７  第７レンズ群
Ｇ３Ａ  第３レンズ群前部
Ｇ３Ｂ  第３レンズ群後部（防振レンズ群）
【図１】
0004226854.tif 000002
【図２】
0004226854.tif 000003
【図３】
0004226854.tif 000004
【図４】
0004226854.tif 000005
【図５】
0004226854.tif 000006
【図６】
0004226854.tif 000007
【図７】
0004226854.tif 000008
【図８】
0004226854.tif 000009
【図９】
0004226854.tif 000010
【図１０】
0004226854.tif 000011
【図１１】
0004226854.tif 000012
【図１２】
0004226854.tif 000013
【図１３】
0004226854.tif 000014
【図１４】
0004226854.tif 000015
【図１５】
0004226854.tif 000016
【図１６】
0004226854.tif 000017
【図１７】
0004226854.tif 000018
【図１８】
0004226854.tif 000019
【図１９】
0004226854.tif 000020
【図２０】
0004226854.tif 000021
【図２１】
0004226854.tif 000022
【図２２】
0004226854.tif 000023
【図２３】
0004226854.tif 000024
【図２４】
0004226854.tif 000025
【図２５】
0004226854.tif 000026
【図２６】
0004226854.tif 000027
【図２７】
0004226854.tif 000028
【図２８】
0004226854.tif 000029
【図２９】
0004226854.tif 000030
【図３０】
0004226854.tif 000031